(57)【要約】【課題】  第２の回路基板に定在波を十分に発生させ、高い放射利得を得る。【解決手段】  第一筐体内に収納され、グランドを有する第１の回路基板と、第二筐体内に収納される第２の回路基板と、第１の回路基板と第２の回路基板とを開閉可能かつ電気的に接続するヒンジ部と、ヒンジ部側の第一筐体内に収納されるアンテナと、信号ラインとグランドラインとを有する給電部と、を備え、給電部の信号ラインはアンテナに電力を供給するようにアンテナに電気的に接続され、他方、給電部のグランドラインは第１の回路基板のグランドに電気的に接続され、ヒンジ部と第１の回路基板との電気的な接続箇所が１箇所のみである。【選択図】図１
2010004209.tif 000002
【特許請求の範囲】
【請求項１】
第一筐体内に収納され、グランドを有する第１の回路基板と、
第二筐体内に収納される第２の回路基板と、
前記第１の回路基板と前記第２の回路基板とを開閉可能かつ電気的に接続するヒンジ部と、
該ヒンジ部側の前記第一筐体内に収納されるアンテナと、
信号ラインとグランドラインとを有する給電部と、を備え、
該給電部の前記信号ラインは前記アンテナに電力を供給するように該アンテナに電気的に接続され、他方、前記給電部の前記グランドラインは前記第１の回路基板の前記グランドに電気的に接続され、
前記ヒンジ部と前記第１の回路基板との電気的な接続箇所が１箇所のみである
ことを特徴とする折り畳み式携帯電話機。
【請求項２】
前記アンテナの共振周波数の半波長が、開状態における前記折り畳み式携帯電話機の長手方向長さよりも長い
ことを特徴とする請求項１に記載の折り畳み式携帯電話機。
【請求項３】
前記アンテナの共振周波数を可変する同調回路を前記第１の回路基板上に備える
ことを特徴とする請求項１または２に記載の折り畳み式携帯電話機。
【請求項４】
第一筐体内に収納され、グランドを有する第１の回路基板と、
第二筐体内に収納される第２の回路基板と、
前記第１の回路基板と前記第２の回路基板とを開閉可能かつ電気的に接続するヒンジ部と、
該ヒンジ部側の前記第一筐体内に収納される第１アンテナと、
前記ヒンジ部とは遠い側の前記第一筐体内に収納される第２アンテナと、
第１信号ラインと第１グランドラインとを有する第１給電部と、
第２信号ラインと第２グランドラインとを有する第２給電部と、を備え、
前記第１給電部の前記第１信号ラインは前記第１アンテナに電力を供給するように該第１アンテナに電気的に接続され、他方、前記第１給電部の前記第１グランドラインは前記第１の回路基板の前記グランドに電気的に接続され、
前記第２給電部の前記第２信号ラインは前記第２アンテナに電力を供給するように該第２アンテナに電気的に接続され、他方、前記第２給電部の前記第２グランドラインは前記第２の回路基板の前記グランドに電気的に接続され、
前記ヒンジ部と前記第１の回路基板との電気的な接続箇所が２箇所以上あり、
該２箇所以上の接続箇所のうちいずれか１箇所の接続箇所は常に導通状態にあり、
他の接続箇所には導通状態と遮断状態とを切り替えるスイッチが設けられ、
前記第１アンテナから電波を送受信する場合は前記スイッチにより他の接続箇所は遮断状態とされて前記ヒンジ部と前記第１の回路基板との電気的な接続箇所が１箇所であり、前記第２アンテナから電波を送受信する場合は前記スイッチにより前記他の接続箇所は導通状態とされて前記ヒンジ部と前記第１の回路基板との電気的な接続箇所が２箇所以上である
ことを特徴とする折り畳み式携帯電話機。
【請求項５】
前記第２のアンテナの共振周波数は前記第１のアンテナの共振周波数よりも高く、前記第２の回路基板の上端から前記第２のアンテナの上端までの距離Ｌが前記第２のアンテナの共振周波数における波長の１／４以上１／２以下となる
ことを特徴とする請求項４記載の折り畳み式携帯電話機。
【請求項６】
第一筐体内に収納され、グランドを有する第１の回路基板と、
第二筐体内に収納される第２の回路基板と、
前記第１の回路基板と前記第２の回路基板とを開閉可能かつ電気的に接続するヒンジ部と、
前記第一筐体内に収納されるアンテナと、
信号ラインとグランドラインとを有する給電部と、を備え、
該給電部の前記信号ラインは前記アンテナに電力を供給するように該アンテナに電気的に接続され、他方、前記給電部の前記グランドラインは前記第１の回路基板の前記グランドに電気的に接続され、
前記ヒンジ部と前記第１の回路基板との電気的な接続箇所が２箇所以上あり、
前記第２の回路基板の上端から前記アンテナの上端までの距離Ｌが前記アンテナの共振周波数における波長の１／４以上１／２以下となる
ことを特徴とする折り畳み式携帯電話機。
【発明の詳細な説明】
【技術分野】
【０００１】
本発明は、キーボード側筐体内に収納される第１の回路基板と、ディスプレイ側筐体内に収納される第２の回路基板とが、開閉可能かつ電気的に接続された折り畳み式携帯電話機に関する。
【背景技術】
【０００２】
近年、キーボード側筐体内に収納される第１の回路基板と、ディスプレイ側筐体内に収納される第２の回路基板とが、ヒンジ部により開閉可能かつ電気的に接続された折り畳み式携帯電話機が広く普及している。
【０００３】
かかる折り畳み式携帯電話機においては、第２の回路基板に搭載されているディスプレイ部品からのノイズの影響を避けるため、また、第１の回路基板に搭載されることの多い高周波部品や電源等との接続を容易にするため、第１の回路基板側のヒンジ部の周辺にアンテナを設ける方法が知られている。さらには、第１の回路基板及び第２の回路基板に定在波を発生させ、アンテナの放射利得を増大させる方法が知られている。
【０００４】
例えば特許文献１には、第１の回路基板と第２の回路基板とを給電用線路により接続してこれらの回路基板をダイポールアンテナの放射素子として利用する発明が開示されている。また、特許文献２には、第１のアンテナをヒンジ部に設けると共に、第１の回路基板及び第２の回路基板を給電用線路により接続して第２のアンテナとして利用する発明が開示されている。
【特許文献１】特開２００７−０８９１２３号公報
【特許文献２】特開２００７−０６０１８２号公報
【発明の開示】
【発明が解決しようとする課題】
【０００５】
しかしながら、第１の回路基板と第２の回路基板とを電気的に接続してアンテナとして利用しようとすると、第２の回路基板に定在波が十分に発生せず、放射利得が低下してしまう場合があった。
【０００６】
そこで本発明は、第２の回路基板に定在波を十分に発生させ、高い放射利得を得ることが可能な折り畳み式携帯電話機を提供することを目的とする。
【課題を解決するための手段】
【０００７】
本発明の第１の態様によれば、
第一筐体内に収納され、グランドを有する第１の回路基板と、
第二筐体内に収納される第２の回路基板と、
前記第１の回路基板と前記第２の回路基板とを開閉可能かつ電気的に接続するヒンジ部と、
該ヒンジ部側の前記第一筐体内に収納されるアンテナと、
信号ラインとグランドラインとを有する給電部と、を備え、
該給電部の前記信号ラインは前記アンテナに電力を供給するように該アンテナに電気的に接続され、他方、前記給電部の前記グランドラインは前記第１の回路基板の前記グランドに電気的に接続され、
前記ヒンジ部と前記第１の回路基板との電気的な接続箇所が１箇所のみである
折り畳み式携帯電話機が提供される。
【０００８】
本発明の第２の態様によれば、
前記アンテナの共振周波数の半波長が、開状態における前記折り畳み式携帯電話機の長手方向長さよりも長い
第１又は第２の態様に記載の折り畳み式携帯電話機が提供される。
【０００９】
本発明の第３の態様によれば、
前記アンテナの共振周波数を可変する同調回路を前記第１の回路基板上に備える
第１または第２の態様に記載の折り畳み式携帯電話機が提供される。
【００１０】
本発明の第４の態様によれば、
第一筐体内に収納され、グランドを有する第１の回路基板と、
第二筐体内に収納される第２の回路基板と、
前記第１の回路基板と前記第２の回路基板とを開閉可能かつ電気的に接続するヒンジ部と、
該ヒンジ部側の前記第一筐体内に収納される第１アンテナと、
前記ヒンジ部とは遠い側の前記第一筐体内に収納される第２アンテナと、
第１信号ラインと第１グランドラインとを有する第１給電部と、
第２信号ラインと第２グランドラインとを有する第２給電部と、を備え、
前記第１給電部の前記第１信号ラインは前記第１アンテナに電力を供給するように該第１アンテナに電気的に接続され、他方、前記第１給電部の前記第１グランドラインは前記第１の回路基板の前記グランドに電気的に接続され、
前記第２給電部の前記第２信号ラインは前記第２アンテナに電力を供給するように該第２アンテナに電気的に接続され、他方、前記第２給電部の前記第２グランドラインは前記第２の回路基板の前記グランドに電気的に接続され、
前記ヒンジ部と前記第１の回路基板との電気的な接続箇所が２箇所以上あり、
該２箇所以上の接続箇所のうちいずれか１箇所の接続箇所は常に導通状態にあり、
他の接続箇所には導通状態と遮断状態とを切り替えるスイッチが設けられ、
前記第１アンテナから電波を送受信する場合は前記スイッチにより他の接続箇所は遮断状態とされて前記ヒンジ部と前記第１の回路基板との電気的な接続箇所が１箇所であり、前記第２アンテナから電波を送受信する場合は前記スイッチにより前記他の接続箇所は導通状態とされて前記ヒンジ部と前記第１の回路基板との電気的な接続箇所が２箇所以上である
折り畳み式携帯電話機が提供される。
【００１１】
本発明の第５の態様によれば、
前記第２のアンテナの共振周波数は前記第１のアンテナの共振周波数よりも高く、前記第２の回路基板の上端から前記第２のアンテナの上端までの距離Ｌが前記第２のアンテナの共振周波数における波長の１／４以上１／２以下となる
第４の態様に記載の折り畳み式携帯電話機が提供される。
【００１２】
本発明の第６の態様によれば、
第一筐体内に収納され、グランドを有する第１の回路基板と、
第二筐体内に収納される第２の回路基板と、
前記第１の回路基板と前記第２の回路基板とを開閉可能かつ電気的に接続するヒンジ部と、
前記第一筐体内に収納されるアンテナと、
信号ラインとグランドラインとを有する給電部と、を備え、
該給電部の前記信号ラインは前記アンテナに電力を供給するように該アンテナに電気的に接続され、他方、前記給電部の前記グランドラインは前記第１の回路基板の前記グランドに電気的に接続され、
前記ヒンジ部と前記第１の回路基板との電気的な接続箇所が２箇所以上あり、
前記第２の回路基板の上端から前記アンテナの上端までの距離Ｌが前記アンテナの共振周波数における波長の１／４以上１／２以下となる
折り畳み式携帯電話機が提供される。
【発明の効果】
【００１３】
本発明にかかる折り畳み式携帯電話機においては、第２の回路基板に定在波を十分に発生させ、高い放射利得を得ることが可能となる。
【発明を実施するための最良の形態】
【００１４】
上述したように、第１の回路基板と第２の回路基板とを電気的に接続してアンテナとして利用しようとすると、第２の回路基板に定在波が十分に発生せず、放射利得が低下してしまう場合があった。発明者は、定在波の発生を妨げる要因について鋭意研究を行った。その結果、第１の回路基板と第２の回路基板とをヒンジ部により電気的に接続する場合において、ヒンジ部と第１の回路基板との間に導電性のループ状経路が形成されてしまう場合があり、かかるループ状経路が定在波の発生を妨げる一要因となっていることを突き止めた。これは、この導電性のループ状経路が形成されてしまうと、第１の回路基板上に設けられたアンテナによって送受信する電気信号が、主にヒンジ部と第１の回路基板とをループして流れてしまい、第２の回路基板にまでこの電気信号が十分に流れなくなるためである。本発明は、発明者が得たかかる知見を基になされた発明である。以下に、本発明の実施形態について説明する。
【００１５】
＜本発明の第１の実施形態＞
まず、本発明の第１の実施形態について、図面を参照しながら説明する。
【００１６】
図１は、本発明の第１の実施形態にかかる折り畳み式携帯電話機の概略構成図である。図３は、本発明の第１の実施形態にかかる折り畳み式携帯電話機のアンテナ周辺部の概略構成図である。
【００１７】
図１に示すとおり、本実施形態にかかる折り畳み式携帯電話機は、第一筐体（キーボード側筐体）内に収納される第１の回路基板としてのキーボード側基板２と、第２筐体（ディスプレイ側筐体）内に収納される第２の回路基板としてのディスプレイ側基板５と、キーボード側基板２とディスプレイ側基板５とを開閉可能かつ電気的に接続するヒンジ部１と、ヒンジ部１付近のキーボード側筐体内に収納されるアンテナＡ１と、を備えている。
【００１８】
第１の回路基板としてのキーボード側基板２上には、高速で動作する高周波部品や電源部品等が搭載されている。また、第２の回路基板としてのディスプレイ側基板５上には、ノイズ発生源となる液晶ディスプレイ部品やその駆動部品等が搭載されている。キーボード側基板２及びディスプレイ側基板５の外寸は、例えば４５ｍｍ×８５ｍｍである。
【００１９】
ヒンジ部１は、例えば金属などの導電性部材により開閉自在に構成されている。また、ヒンジ部１は略Ｈ字型形状が好ましい。これにより、図１に示すようにヒンジ部１の足の間に挟まれるようにアンテナＡ１を配置することができ、その結果、第１回路基板（キーボード側基板２）のコンパクト化に寄与することができるからである。
【００２０】
ヒンジ部１とキーボード側基板２との間の接続は、電気的な接続が１箇所のみとなるように構成されている。例えば、図１に例示するように、ヒンジ部１とキーボード側基板２とが２本のネジによって固定されている場合には、そのうち一方には金属製ネジ（導電性ネジ）８が用いられ、他方には樹脂製ネジ（非導電性ネジ）９が用いられ、ヒンジ部１とキーボード側基板２とは１箇所のみで電気的に接続されるように構成されている。すなわ
ち、ヒンジ部１とキーボード側基板２との間に、導電性のループ状経路が形成されないように構成されている。
【００２１】
一方、ヒンジ部１とディスプレイ側基板５との間の接続は、１箇所あるいは複数箇所で電気的に接続されるように構成されている。例えば、図１に例示するように、ヒンジ部１とディスプレイ側基板５とが２本のネジによって固定されている場合には、２本共に金属製ネジ８が用いられ、ヒンジ部１とディスプレイ側基板５とは２箇所で電気的に接続されるように構成されている。なお、本発明はかかる形態に限定されず、一方には金属製ネジ８が用いられ、他方には樹脂製ネジ９が用いられ、ヒンジ部１とディスプレイ側基板５との間が１箇所のみで電気的に接続されるように構成されていてもよい。
【００２２】
アンテナＡ１は、キーボード筐体内に収納される。アンテナＡ１をキーボード筐体内に収容することにより、アンテナＡ１に対するディスプレイ側基板５からのノイズの影響を抑制することが可能となるからである。また、キーボード側基板２に搭載されている高周波部品とアンテナＡ１との接続や、電源部品とアンテナＡ１との接続等が容易となるからである。なお、キーボード筐体内のスペース上の理由から、アンテナＡ１は、ヒンジ部１側（一般に、ヒンジ部１から２５ｍｍ以内の位置）に設けられる場合が多い。
【００２３】
アンテナＡ１は、例えば長さ１０ｍｍの導電性の板片（例えば銅板）として構成された第１のショートスタブ６と、例えば長さ３４ｍｍの導電性の板片（例えば銅板）として構成された第２のショートスタブ７と、を備えている。第１のショートスタブ６の一方の端部は、キーボード側基板２のグランドに接地（接続）されている。第１のショートスタブ６の他方の端部には、第２のショートスタブ７が第１のショートスタブ６と直交するように接続されている。アンテナＡ１の外寸は例えば４０ｍｍ×１０ｍｍである。
【００２４】
アンテナＡ１は、アンテナＡ１に交流電力を供給する給電部３を備えている。給電部３の信号ラインは、アンテナＡ１の第１のショートスタブ６及び第２のショートスタブ７に並列に接続されている。また、給電部３のグランドラインが、キーボード側基板２のグランドに接地（接続）されている。
【００２５】
なお、第２のショートスタブ７の先端部は、アンテナＡ１の共振周波数（送受信周波数）を可変する同調回路４を介してキーボード側基板２のグランドに接続されている。図３に示すように、同調回路４は、ＤＣ（直流）カットのためのコンデンサＣと、可変容量ダイオードＤと、ＲＦ（高周波）カットのための抵抗Ｒと、を備えている。コンデンサＣと可変容量ダイオードＤとは直列に接続されている。コンデンサＣの一端はアンテナＡ１の第２のショートスタブ７に接続されており、コンデンサＣの他端は可変容量ダイオードＤのカソード側に接続されている。可変容量ダイオードＤのアノード側はキーボード側基板２のグランドに接続（接地）されている。抵抗Ｒの一端はコンデンサＣと可変容量ダイオードＤとの間に接続され、抵抗Ｒの他端は可変容量ダイオードＤの容量値を制御するための制御電圧端子を構成している。
【００２６】
このように構成されることにより、給電部３の信号ラインから交流電力を印加されたアンテナＡ１は、所定の共振周波数で発振することとなる。そして、アンテナＡ１に電気的に接続されたキーボード側基板２（給電部３のグランドラインがグランドに接続されたキーボード側基板２）と、キーボード側基板２にヒンジ部１を介して電気的に接続されたディスプレイ側基板５と、にそれぞれ定在波が発生し、それぞれ放射導体として機能し、アンテナＡ１、キーボード側基板２、及びディスプレイ側基板５が同一の共振周波数で動作する一つのアンテナとして動作することになる。
【００２７】
なお、上述の共振周波数は、同調回路４が備える可変容量ダイオードＤのコンデンサ容
量（接合容量）を変化させることにより調整可能である。例えば、上述の構成において、可変容量ダイオードＤのコンデンサ容量を５ｐＦとすることで、アンテナＡ１、キーボード側基板２、及びディスプレイ側基板５の共振周波数は４７０ＭＨｚとなり、共振時に放射される電波の半波長（λ／２）は３２０ｍｍとなる。なお、かかる半波長（３２０ｍｍ）は、開状態における折り畳み式携帯電話機の長手方向長さよりも長くなる。すなわち、ヒンジ部１により連結されたキーボード側基板２及びディスプレイ側基板５の合計長さ（約２００ｍｍ）よりも長くなる。
【００２８】
本実施形態によれば、以下に示す１つまたはそれ以上の効果を奏する。
【００２９】
（ａ）本実施形態によれば、給電部３から交流電力を給電することにより、アンテナＡ１が所定の共振周波数で発振する。そして、アンテナＡ１に電気的に接続されたキーボード側基板２（給電部３のグランドラインがグランドに接続されたキーボード側基板２）と、キーボード側基板２にヒンジ部１を介して電気的に接続されたディスプレイ側基板５と、にそれぞれ定在波が発生し、それぞれ放射導体として機能し、アンテナＡ１、キーボード側基板２、及びディスプレイ側基板５が同一の共振周波数で動作する一つのアンテナとして動作する。このように、アンテナＡ１だけでなく、キーボード側基板２及びディスプレイ側基板５が同一の共振周波数で発振することにより、アンテナの見かけ上のサイズ（体積）が増大し、アンテナの放射利得を増大させることが可能となる。
【００３０】
（ｂ）本実施形態によれば、ヒンジ部１とキーボード側基板２との間の接続は、電気的な接続が１箇所のみとなるように構成されている。すなわち、ヒンジ部１とキーボード側基板２との間に導電性のループ状経路が形成されないように構成されている。これにより、ディスプレイ側基板５において定在波を十分に発生させ、ディスプレイ側基板５をモノポールアンテナのように機能させ、放射利得を増大させることが可能となる。
【００３１】
かかる様子を図２に示す。図２（ａ）は、従来の折り畳み式携帯電話機におけるアンテナの放射利得を示すグラフ図であり、図２（ｂ）は、本発明の第１の実施形態にかかる折り畳み式携帯電話機におけるアンテナの放射利得を示すグラフ図である。
【００３２】
ヒンジ部１とキーボード側基板２との電気的な接続箇所が二箇所以上ある従来の折り畳み式携帯電話機（図２（ａ））では、キーボード側基板２とヒンジ部１との間に導電性のループ状経路が形成されてしまい、ディスプレイ側基板５において定在波を十分に発生させることが困難となってしまう。具体的には、図１におけるＹＺ面内での水平偏波の放射利得のピーク値が、共振周波数４７０ＭＨｚにおいて−１９．２ｄＢｄに留まっていることが分かる。
【００３３】
これに対し、ヒンジ部１とキーボード側基板２との電気的な接続箇所を一箇所とした本実施形態の場合（図２（ｂ））には、キーボード側基板２とヒンジ部１との間に導電性のループ状経路が形成されないため、ディスプレイ側基板５において定在波が十分に発生し、ディスプレイ側基板５をモノポールアンテナのように機能させ、放射利得を増大させることが可能となる。具体的には、図１におけるＹＺ面内での水平偏波の放射利得のピーク値が、共振周波数４７０ＭＨｚにおいて−８．２ｄＢｄに増大していることが分かる。
【００３４】
（ｃ）従来の折り畳み式携帯電話機においては、ヒンジ部１とキーボード側基板２とを固定するために複数本（例えば２本）の金属製ネジ（導電性ネジ）８を用いる場合が多かった。本実施形態によれば、これら複数の接続箇所のうち、一箇所のみを金属製ネジ８で固定することとし、他の接続箇所を樹脂製ネジ９で固定することにより、キーボード側基板２とヒンジ部１との間に導電性のループ状経路が形成されることを防ぎ、放射利得を増大させることが可能となる。すなわち、従来の折り畳み式携帯電話機の設計を大きく変更す
る必要がなく、低コストで放射利得を増大させることが可能となる。
【００３５】
（ｄ）本実施形態によれば、第２のショートスタブ７の先端部は、同調回路４を介してキーボード側基板２のグランドに接続されている。そして、同調回路４が備える可変容量ダイオードＤのコンデンサ容量（接合容量）を変化させることにより、アンテナＡ１、キーボード側基板２、及びディスプレイ側基板５の共振周波数を自由に調整することができる。また、共振時の電波の半波長を、開状態における折り畳み式携帯電話機の長手方向長さよりも長くさせることができる。
【００３６】
（ｅ）本実施形態によれば、アンテナＡ１をキーボード筐体内に収容することにより、アンテナＡ１に対するディスプレイ側基板５からのノイズの影響を抑制することが可能となる。また、キーボード側基板２に搭載されている高周波部品とアンテナＡ１との接続や、電源部品とアンテナＡ１との接続が容易となる。すなわち、高周波部品等とアンテナＡ１との接続ラインが短く構成されることにより、かかる接続ラインに対するディスプレイ側基板５からのノイズの影響を抑制することが可能となる。
【００３７】
＜本発明の第２の実施形態＞
続いて、本発明の第２の実施形態を、図面を参照しながら説明する。図４は、本発明の第２の実施形態にかかる折り畳み式携帯電話機の概略構成図である。
【００３８】
図４に示す通り、本実施形態にかかる折り畳み式携帯電話機は、上述の実施形態と同様に、キーボード側筐体内に収納されるキーボード側基板２と、ディスプレイ側筐体内に収納されるディスプレイ側基板５と、キーボード側基板２とディスプレイ側基板５とを開閉可能かつ電気的に接続するヒンジ部１と、キーボード側筐体内においてヒンジ部１付近に収納される第１のアンテナＡ２と、を備えている。なお、第１のアンテナＡ２の構成は、上述のアンテナＡ１と同一である。
【００３９】
なお、本実施形態においては、ヒンジ部１とキーボード側基板２との電気的な接続箇所が２箇所あり、２箇所の接続箇所のうちいずれか１箇所の接続箇所は常に導通状態にあり、他の接続箇所には導通状態と遮断状態とを切り替えるスイッチが設けられている点が、上述の実施形態と異なる。具体的には、第１の実施形態においてヒンジ部１とキーボード側基板２とが樹脂製ネジ９によって固定されていた箇所が金属製ネジ８によって固定されているとともに、ヒンジ部１とキーボード側基板２との間に導通状態（ＯＮ）と遮断状態（ＯＦＦ）とを切り替えるスイッチ１０が設けられている点が、上述の実施形態とは異なる。スイッチ１０の開閉状態は、折り畳み式携帯電話機が備える図示しない制御回路によって所望のタイミングにて切り替えられるように構成されている。
【００４０】
また、本実施形態においては、上述の第１のアンテナＡ２とは共振周波数の異なる第２のアンテナＡ３が、キーボード側筐体内においてヒンジ部１とは遠い側のキーボード側基板２上の他端部（第１のアンテナＡ２が設けられる部分とは異なる部分）に実装されている点が、上述の実施形態と異なる。
【００４１】
本実施形態においても、給電部３の信号ラインから交流電力を給電することにより、第１のアンテナＡ２、キーボード側基板２、及びディスプレイ側基板５を、同一の共振周波数で動作する一つのアンテナとして動作させることが可能となる。そして、この際、スイッチ１０を遮断状態（ＯＦＦ）とすると、ヒンジ部１とキーボード側基板２との間の電気的な接続箇所が一箇所となり、ディスプレイ側基板５において定在波を十分に発生させ、ディスプレイ側基板５をモノポールアンテナのように作用させ、放射利得を十分に増大させることが可能となる。
【００４２】
また、本実施形態においては、第２のアンテナＡ３には、モノポールアンテナや逆Ｆ型アンテナを使用することができる。第２のアンテナＡ３に交流電力を供給する給電部（図示しない）のグランドラインは、キーボード側基板２のグランドに接地（接続）されている。給電部の信号ラインは第２のアンテナＡ３に電気的に接続されている。この第２のアンテナＡ３は、スイッチ１０が導通状態（ＯＮ）にされ、ヒンジ部１とキーボード側基板２との間の電気的な接続箇所が２箇所となるときに用いられる。
【００４３】
すなわち、本実施形態においては、第１のアンテナＡ２から電波を送受信する場合は、スイッチ１０を遮断状態（ＯＦＦ）とし、ヒンジ部１とキーボード側基板２との電気的な接続箇所を１箇所とする。また、第２のアンテナＡ３から電波を送受信する場合はスイッチ１０を導通状態（ＯＮ）としてヒンジ部１とキーボード側基板２との電気的な接続箇所を２箇所とする。これにより、いずれのアンテナを用いても良好な特性を実現することが可能なように構成されている。その結果、例えば８００ＭＨｚ帯と１．５ＧＨｚ帯とを切り替えて使用したり、あるいは８００ＭＨｚ帯と２ＧＨｚ帯とを切り替えて使用したりすることが可能な、いわゆるデュアルバンド対応の携帯電話機を実現することが可能となる。
【００４４】
なお、第２のアンテナＡ３の位置は、折り畳み携帯電話機を開状態とした時のディスプレイ側基板５の上端から第２のアンテナＡ３の上端までの距離をＬ（ｍｍ）とし、共振状態にある第２のアンテナＡ３から発せられる電波の波長をλ（ｍｍ）としたときに、λ／４≦Ｌ≦λ／２となるように設定することが好ましい。
【００４５】
Ｌがλ／２を超えた場合には、第２のアンテナＡ３の共振周波数に相当する定在波の逆位相の波がディスプレイ側基板５に発生し、放射利得が低減してしまう場合があるためである。また、Ｌがλ／４未満の場合には、ヒンジ部１とキーボード側基板２とが２箇所で電気的に接続された状態（すなわち従来のアンテナと同様の状態）となり、ヒンジ部１とキーボード側基板２との間に導電性のループ状経路が形成され、ディスプレイ側基板５において定在波が十分に発生せず、放射利得が低減してしまう場合があるためである。本実施形態では、Ｌをλ／４以上λ／２以下の範囲内とすることにより、ディスプレイ側基板５に定在波を十分に発生させ、高い放射利得を得ることが可能となる。
【００４６】
また、これらのアンテナＡ２，Ａ３が内蔵される折り畳み式携帯電話を小型化するためには、上記のＬはなるべく小さいほうが良い。従って、上記のλ／４≦Ｌ≦λ／２の関係を満たしつつ、Ｌをなるべく小さくするために、アンテナＡ３にはアンテナＡ２よりも波長が小さいもの（周波数が高いもの）を用いれば良い。
【００４７】
なお、上記第２の実施形態においては、スイッチ１０によって導通状態（ＯＮ）と遮断状態（ＯＦＦ）とを切り替え可能な電気的な接続箇所を１箇所とする例で説明したが、これに限られない。すなわち、ヒンジ部１の機械的な接続信頼性を向上させるために、ＯＮとＯＦＦとが切り替え可能な電気的接続箇所を２箇所以上としても良い。この電気的な接続箇所１箇所につきスイッチ１０を１個ずつ設けても、複数の電気的な接続箇所を一括して１個のスイッチ１０によって切り替え可能としても良い。アンテナＡ３を使用する場合は、電気的な接続箇所のうち少なくとも２箇所をＯＮにすることによって、ディスプレイ側基板５においても十分に定在波が発生し、アンテナＡ３の放射利得が向上する。
【００４８】
また、ヒンジ部１の機械的な接続信頼性を向上させるために、上記第２の実施形態に加えてヒンジ部１とキーボード側基板２とを樹脂製ネジ９で固定する箇所を２箇所以上としても良い。
【００４９】
＜本発明の第３の実施形態＞
続いて、本発明の第３の実施形態を、図面を参照しながら説明する。図５は、本発明の第３の実施形態にかかる折り畳み式携帯電話機の概略構成図である。
【００５０】
図５に示す通り、本実施形態にかかる折り畳み式携帯電話機は、上述の実施形態と同様に、キーボード側筐体内に収納されるキーボード側基板２と、ディスプレイ側筐体内に収納されるディスプレイ側基板５と、キーボード側基板２とディスプレイ側基板５とを開閉可能かつ電気的に接続するヒンジ部１と、ヒンジ部１付近のキーボード側筐体内に設けられるアンテナＡ４と、を備えている。
【００５１】
なお、本実施形態にかかるアンテナＡ４は、同調回路４を備えておらず、第２のショートスタブ７が第１のオープンスタブ１１として構成されている点が、第１の実施形態にかかるアンテナＡ１とは異なる。
【００５２】
アンテナＡ４は、第１のショートスタブ６と、第１のオープンスタブ１１とを備えている。第１のショートスタブ６の一方の端部は、キーボード側基板２のグランドに接続されている。第１のショートスタブ６の他方の端部には、第１のオープンスタブ１１が直交するように接続されている。アンテナＡ４は、アンテナＡ４に電力を供給する給電部３を備えている。給電部３の信号ラインは、アンテナＡ４の第１のショートスタブ６及び第１のオープンスタブ１１に並列に接続されている。また、給電部３のグランドラインが、キーボード側基板２のグランドに接地（接続）されている。
【００５３】
本実施形態においても、第１の実施形態と同様に、アンテナＡ４の共振周波数に相当する定在波を、キーボード側基板２とディスプレイ側基板５との両方に発生させ、高い放射利得を得ることができる。このように、第１の実施形態とは異なる構成のアンテナを用いたとしても、第１の実施形態と同様の効果を得ることが可能となる。
【００５４】
また、アンテナＡ４とは異なる共振周波数を有するアンテナＡ５を第２の実施形態と同様の方法で設けて、デュアルバンド対応の携帯電話機としても良い。
【００５５】
＜本発明の第４の実施形態＞
本発明の第４の実施形態を、図面を参照しながら説明する。図６は、本発明の第４の実施形態にかかる折り畳み式携帯電話機の概略構成図である。
【００５６】
図６に示すとおり、本実施形態にかかる折り畳み式携帯電話機は、上述の実施形態と同様に、キーボード側筐体内に収納されるキーボード側基板２と、ディスプレイ側筐体内に収納されるディスプレイ側基板５と、キーボード側基板２とディスプレイ側基板５とを開閉可能かつ電気的に接続するヒンジ部１と、キーボード側筐体内に収納されるアンテナＡ６と、を有する。
【００５７】
なお、本実施形態にかかるアンテナＡ６は、モノポールアンテナや逆Ｆ型アンテナを使用することができる。このアンテナの給電部の信号ラインは、アンテナＡ６に電気的に接続され、グランドラインは、キーボード側基板２のグランドに接地（接続）されている。
また、同調回路を設けて、アンテナＡ６の共振周波数を制御可能としても良い。
【００５８】
本実施形態においては、ヒンジ部１とキーボード側基板２との電気的な接続箇所を２箇所以上とする。さらに、アンテナＡ６の位置は、折り畳み式携帯電話機を開状態としたときのディスプレイ側基板５の上端からアンテナＡ６の上端までの距離をＬ（ｍｍ）とし、共振状態にあるアンテナＡ６から発生される電波の波長をλ（ｍｍ）としたときに、λ／４≦Ｌ≦λ／２となるように設定されている。これにより、ディスプレイ側基板５に定在波を十分に発生させ、高い放射利得を得ることが可能となる。
【００５９】
＜本発明の他の実施形態＞
本発明は上述の実施形態に限定されず、その要旨を逸脱しない範囲において種々変更可能である。例えば、図７に示すように、ヒンジ部１とキーボード側基板２との接続部において枝分かれ部１ａを形成し、この枝分かれ部１ａとキーボード側基板２とを導電性ネジ８で接続してもよい。この場合においても、ヒンジ部１とキーボード側基板２との電気的な接続箇所は１箇所のみであり、ヒンジ部１とキーボード側基板２との間に導電性ループ状経路は形成されない。
【図面の簡単な説明】
【００６０】
【図１】本発明の第１の実施形態にかかる折り畳み式携帯電話機の概略構成図である。
【図２】（ａ）は従来の折り畳み式携帯電話機におけるアンテナの放射利得を示すグラフ図であり、（ｂ）は本発明の第１の実施形態にかかる折り畳み式携帯電話機におけるアンテナの放射利得を示すグラフ図である。
【図３】本発明の第１の実施形態にかかる折り畳み式携帯電話機のアンテナ周辺部の概略構成図である。
【図４】本発明の第２の実施形態にかかる折り畳み式携帯電話機の概略構成図である。
【図５】本発明の第３の実施形態にかかる折り畳み式携帯電話機の概略構成図である。
【図６】本発明の第４の実施形態にかかる折り畳み式携帯電話機の概略構成図である。
【図７】本発明の他の実施形態にかかる折り畳み式携帯電話機の概略構成図である。
【符号の説明】
【００６１】
１      ヒンジ部
２      キーボード側基板（第１の回路基板）
３      給電部
４      同調回路
５      ディスプレイ側基板（第２の回路基板）
１０    スイッチ
Ａ１〜Ａ６    アンテナ
【図１】
2010004209.tif 000003
【図２】
2010004209.tif 000004
【図３】
2010004209.tif 000005
【図４】
2010004209.tif 000006
【図５】
2010004209.tif 000007
【図６】
2010004209.tif 000008
【図７】
2010004209.tif 000009